(57)【要約】【課題】万華鏡のような複雑な光模様による演出を薄いレンズ等の簡素な構成によって実現する。【解決手段】装飾装置１は、発光体２と、発光体２の前方に配置され、発光体２からの光を透過させるレンズシート３と装飾シート４とを有する可動シート５と、可動シート５の前方に配置され可動シート５を透過した光を屈折させて発光体２と装飾シート４の像を拡大する凸レンズ６と、可動シート５を移動させる駆動部７と、発光体２と可動シート５との間に配置された表面に不規則な凹凸を有するレンズ８と、可動シート５と駆動部７とを連結する連結部９と、凸レンズ６を嵌めこんで固定するとともに役物（図示略）に固定される表カバー１０とを備え、駆動部７、レンズ８、連結部９、可動シート５、凸レンズ６及び表カバー１０の順で軸方向Ｘに沿って配置される。【選択図】        図１
2008000538.tif 000002
【特許請求の範囲】
【請求項１】
発光体と、
前記発光体の前方に配置され、前記発光体からの光を透過させるプラスチックレンズシートを有し、装飾が施された可動シートと、
該可動シートの前方に配置され前記可動シートを透過した光を屈折させて前記発光体と前記装飾の像を拡大するレンズ体と、を備えたことを特徴とする遊技機の装飾装置。
【発明の詳細な説明】
【技術分野】
【０００１】
本発明は、万華鏡像のような複雑な光模様によって遊技の演出を行う遊技機の装飾装置に関する。
【背景技術】
【０００２】
特許文献１に示す通り、遊技盤面上に万華鏡像をＬＥＤとレンズを用いて遊技者に提供する発明が提案されている。
特許文献２に示す通り、遊技者によって視認可能に配されたＬＥＤ８０を前方から覆うように回転体５６に貼り付けたレンチキュラーレンズ８６を配するとともに、レンチキュラーレンズ８６を回転させることにより、レンチキュラーレンズ８６の方向をＬＥＤ８０の前方で変化させるようにした遊技機が提案されている。
【特許文献１】特開２００６−１３６３７７号公報
【特許文献２】特開２００５−２８７６２６号公報
【発明の開示】
【発明が解決しようとする課題】
【０００３】
しなしながら、特許文献１においては、万華鏡箱が固定されているので、従来の万華鏡の域を出ず、構造が複雑になる。また、特許文献２においては、レンチキュラーレンズ８６の制約上、その方向を変化させなければ、遊技者の目に映るＬＥＤ８０が滑らかに連続して動くように見せることができないため、万華鏡のような複雑な光模様の実現が困難である。さらにレンズが厚いため装置が大きくなるおそれがある。
【０００４】
そこで、本発明は、万華鏡のような複雑な光模様による演出を薄いレンズ等の簡素な構成によって実現することにある。
【課題を解決するための手段】
【０００５】
請求項１の発明は、発光体と、前記発光体の前方に配置され、前記発光体からの光を透過させるプラスチックレンズシートを有し、装飾が施された可動シートと、該可動シートの前方に配置され前記可動シートを透過した光を屈折させて前記発光体と前記装飾の像を拡大するレンズ体と、を備えたことを特徴とする遊技機の装飾装置である。
【０００６】
前記可動シートを移動させる駆動部を備えることが好ましい。
【０００７】
前記発光体と前記可動シートとの間に表面に不規則な凹凸を有するレンズを配すことが好ましい。
【発明の効果】
【０００８】
請求項１によれば、可動シートが移動し、また、発光体が発光し、光はプラスチックレンズシートで屈折されて透過し、レンズ体で屈折されながら透過するので、このようにして遊技者の目には多数のＬＥＤ光源の光と装飾が動いて見える。したがって、狭い空間内であっても、万華鏡に近い演出を与えることができ、万華鏡に近い演出にさらに動きを与えることで、一層、趣向性が増大する。さらにレンズシートを用いているので、従来とは異なる趣向の装飾効果を実現できるとともに、装置の厚みを小さくでき、装置が簡素化する効果がある。
【発明を実施するための最良の形態】
【０００９】
以下に、本発明の好適な実施形態の遊技機の装飾装置１について図面を参照して説明する。装飾装置１は、発光体２と、発光体２の前方に配置され、発光体２からの光を透過させるレンズシート３と装飾シート４とを有する可動シート５と、可動シート５の前方に配置され可動シート５を透過した光を屈折させて発光体２と装飾シート４の像を拡大する凸レンズ６と、を備えたことを特徴とする。また装飾装置１は、可動シート５を移動させる駆動部７と、発光体２と可動シート５との間に表面に不規則な凹凸を有するレンズ８と、可動シート５と駆動部７とを連結する連結部９と、凸レンズ６を嵌めこんで固定するとともに役物（図示略）に固定される表カバー１０とを備える。図１〜図３に示す通り、駆動部７、レンズ８、連結部９、可動シート５、凸レンズ６及び表カバー１０の順で軸方向Ｘに沿って配置されている。以下、各要素を詳細に説明する。
【００１０】
発光体２は、図１〜図３に示す通り、軸方向Ｘと直交する面に延び出す所定形状（図ではハート型）に形成される裏カバー２０と、裏カバー２０の中央部に貫設された貫通孔２１と、裏カバー２０の表面側に固定される複数のＬＥＤ２２ａ〜２２ｅと、レンズ８を取り付けるための取付部２３と、遊技部材（役物、遊技盤、枠等）に固定するための取付部２４を備えている。ＬＥＤ２２ａ〜２２ｅは、同色あるいは相違色、いずれでも発光色を設定できる。発光色の種類は任意で設定できる。
【００１１】
レンズシート３は、プラスチック・シートであって、図１〜図４に示す通り、所定形状（図ではハート型）に形成され、所定位置（図では中央部）に取付孔３０が形成され、その主面が軸方向Ｘと直交する方向に配置されるものである。レンズシート３を透過する際にＬＥＤ光源数が増加して見えるように光が屈折する材質が好ましい。ＬＥＤ光源数が同数に見えるものでも良い。レンズシート３の材質は一般的には反射シートとも呼ばれ塩化ビニル樹脂のシートである。
【００１２】
装飾シート４は、図１〜図４に示す通り、透光又は半透光性のプラスチックシート（例えば、ＰＥＴ樹脂等）であって、ハート形状に赤又は桃色の色彩が付され、中央部は色彩がぼかされてもよく、所定形状（図ではハート型）に形成され、所定位置（図では中央部）に取付孔４０が形成され、主面が軸方向Ｘと直交する方向に配置されるものである。
【００１３】
可動シート５は、図４に示す通り、レンズシート３及び装飾シート４を備えるほか、これらのシートを重ね合わせて固定するための固定部５０を備えた可動シート部である。この固定部５０は、所定形状（図ではハート型）に形成され、所定位置（図では中央部）に形成され、その主面が軸方向Ｘと直交する方向に配置される固定シート５１と、固定シート５１の裏面に形成される鉤型の凸条５２と、を備えるものである。凸条５２は取付孔４０と取付孔３０に嵌合するように形状と寸法が設定される。なお、装飾シート４はなくてもよく、他の手段や方法によってレンズシート３に装飾を施しても良い。
【００１４】
凸レンズ６は、表カバー１０に固定され、遊技者に拡大された像を視認させるものであり、表カバー１０へ取り付けるための取付部６０及び６１を備えている。
【００１５】
駆動部７は、図６（ａ）（ｂ）に示す通り、モータ７０と、モータ７０と連結し回転運動を往復運動に変換するカム部７１と、カム部７１の動きに従って軸方向Ｘに往復動するスライダ７３と、連結部９のキー９６を保持するための保持部７４と、該保持部７４に設けられ、連結部９のキー９５を嵌合させるキー溝７２（図３参照）を備えたものである。図６において、発光体２、レンズ８、可動シート５、凸レンズ６及び表カバー１０の図示は略す。
【００１６】
レンズ８は、特殊なレンズカットがなされたプラスチックレンズシートであって、所定形状（図ではハート型）に形成され、裏カバー２０に収容される大きさに設定され、ＬＥＤ２２ａ〜ＬＥＤ２２ｅを覆うように配置され、図５（ａ）〜（ｄ）に示す通り、表面側に複数の不規則な凹凸が形成される凹凸面８０と、所定位置（図では中央部）に形成される貫通孔８１と、裏面方向に突出し取付部２３ａ〜取付部２３ｃに嵌め込まれる突出部８２ａ〜８２ｃと、を備えるものである。
【００１７】
連結部９は、図１及び図２に示す通り、蓋部９０と、蓋部９０と嵌合する基部９１とを備えている。蓋部９０は貫通孔８１よりも小さく設定され、貫通孔８１内を軸方向Ｘに駆動されるようになっている。蓋部９０は、凸条５２が嵌合する貫通孔９２と、ビス（図示略）を取り付けるビス孔９３ａ，９３ｂと、を備えている。貫通孔９２には凸条５２が嵌め込まれて、ビス（図示略）で止着されている。基部９１は、ビス孔９３ａ及びビス孔９３ｂに取り付けたビスをねじこむビス取付部９４ａ，９４ｂと、裏面側に突出しキー溝７２に嵌合するキー９５とを備えている。
【００１８】
表カバー１０は、図１、図２に示す通り、所定形状（図ではハート型）に形成され、凸レンズ６が収容される大きさに設定された開口１００と、遊技部材（役物、遊技盤、枠等）に固定するための取付部１０１と、を備えている。
【００１９】
次に装飾装置１の動作及び作用効果を説明する。モータ７０が駆動すると、カム部７１が作動し、スライダ７３、連結部９、及び可動シート５が軸方向Ｘに往復運動する。また、モータ７０の駆動に対応してＬＥＤ２２ａ〜２２ｅが発光し、光は凹凸面８０で複雑に屈折されてレンズ８を透過し、レンズシート３及び装飾シート４を透過する。レンズシート３を透過する際にＬＥＤの光源数が増加して見えるように光が屈折する。レンズシート３及び装飾シート４を透過した光は、凸レンズ６で屈折されながら透過する。このようにして遊技者の目には多数のＬＥＤ光源の光が離合集散しているように見える。また、装飾シート４上のハートの色模様が前後方向に移動することで凸レンズ６で拡大縮小を繰り返しているように見える。さらに遊技者の目には光源の光と色模様とが重なって見える。さらに可動シート５越しにレンズ８のレンズカットを見せることができ、カットの面白さによる演出効果が得られる。したがって、狭い空間内であっても、万華鏡に近い演出を与えることができ、万華鏡に近い演出にさらに前後方向の動きを与えることで、一層、趣向性が増大する。さらにレンズシートを用いているので、従来とは異なる感じの装飾効果を実現できるとともに、装置の厚みを小さくでき、装置が簡素化する利点がある。
【００２０】
なお、本発明は、上述の実施の形態に限定されるものではなく、本発明の技術的思想を逸脱しない範囲において、改変等を加えることが出来るものであり、それらの改変、均等物等も本発明の技術的範囲に含まれることとなる。例えば、可動シート５を軸方向Ｘに沿って移動（遊技者に対しては前後方向に移動）させたが、可動シート５の軸方向Ｘ、或いは軸方向Ｘと角度をなす方向（例えば直交方向）を中心軸として回動運動する構成が挙げられ、また、装飾装置１は遊技盤面（例えば、センター役物の枠に一体で取り付けた構成）のほか、遊技枠にも設置できる等、適宜採択可能である。
【図面の簡単な説明】
【００２１】
【図１】本発明実施形態の装飾装置１の分解斜視図である。
【図２】同可動シート５，凸レンズ６，連結部９，表カバー１０の分解斜視図である。
【図３】同駆動部７、レンズ８の分解斜視図である。
【図４】同可動シート５の分解斜視図である。
【図５】（ａ）は同レンズ８の平面図、（ｂ）は図５（ｃ）のＡ−Ａ断面図、（ｃ）は同レンズ８の正面図、（ｄ）は同側面図である。
【図６】（ａ）（ｂ）は、同駆動部７及び連結部９の平面図である。
【符号の説明】
【００２２】
１…装飾装置  ２…発光体  ３…レンズシート  ４…装飾シート  ５…可動シート
６…凸レンズ  ７…駆動部  ８…レンズ  ９…連結部  １０…表カバー  ２０…裏カバー
２１…貫通孔  ２２ａ〜２２ｅ…ＬＥＤ  ２３ａ〜２３ｃ，２４…取付部  ３０…取付孔
４０…取付孔  ５０…固定部  ５１…固定シート  ５２…凸条  ６０，６１…取付部
７０…モータ  ７１…カム部  ７２…キー溝  ７３…スライダ  ７４…保持部
８０…凹凸面  ８１…貫通孔  ８２ａ〜８２ｃ…突出部  ９０…蓋部  ９１…基部
９２…貫通孔  ９３ａ，９３ｂ…ビス孔  ９４ａ，９４ｂ…ビス取付部  ９５…キー
【図１】
2008000538.tif 000003
【図２】
2008000538.tif 000004
【図３】
2008000538.tif 000005
【図４】
2008000538.tif 000006
【図５】
2008000538.tif 000007
【図６】
2008000538.tif 000008